(57)【特許請求の範囲】
【請求項１】
被護岸面(20)から護岸壁表面(11)に連通する植生用の空洞(12,12')を備える護岸壁(10)を形成するための護岸用ブロック(13,13')に取り付ける樹脂網であって、正面中央部に網部(2)を備える板材(3)からなり、該網部(2)の輪郭(2a)は該空洞(12,12')の該被護岸面(20)側開口(12a)の輪郭(12c)と少なくとも一部分で適合し、該網部(2)の該輪郭(2a)の該適合する部分に沿って該空洞(12)の内壁(12b)に係合する弾性片部(4)が正面方向に延出されていることを特徴とする樹脂網(1)。
【請求項２】
該弾性片部(4)は、スリット(4a)で区切られた複数の小片部(4b)から構成されている請求項１に記載の樹脂網。
【請求項３】
該小片部(4b)の少なくとも３つは先端部に係合爪(4c)を有し、該係合爪(4c)を有する小片部(4b)は、正面から見て該網部(2)の左側、右側及び下側に分散して配置されている請求項２に記載の樹脂網。
【請求項４】
該網部(2)の正面から見て中央に、該護岸用ブロック(13,13')に取り付けられて設置された際に上下に延びて該網部(2)を左右に分割しかつ該網部(2)を囲う板部(5)に連続する、線条部(6)が設けられ、該線条部(6)は該空洞(12)に面した正面側表面に該線条部(6)の長さ方向に延びる溝(7)が設けられている請求項１〜３のいずれか一つの項に記載の樹脂網。
【請求項５】
該網部(2)は、該護岸用ブロック(13,13')に取り付けられて設置された際に水平になる方向に伸びる長孔(2b)が複数個平行に並設されてなる請求項１〜４のいずれか一つの項に記載の樹脂網。
【請求項６】
該長孔(2b)の、該護岸用ブロック(13,13')に取り付けられて設置された際に下側に配置される角部(2c)が丸く面取りされている請求項５に記載の樹脂網。
【請求項７】
被護岸面(20)から護岸壁表面(11)に連通する植生用の空洞(12,12')を備える護岸壁(10)を形成するための護岸用ブロック(13,13')に取り付ける樹脂網(1)の製造方法であって、正面中央部に網部(2)を備える板材(3)を形成する第１の型枠と、該網部(2)の輪郭(2a)に沿って正面方向に延出する弾性片部(4)を形成する第２の型枠とを使用し、該第２の型枠を交換することにより、該弾性片部(4)の配置を該空洞(12,12')の該被護岸面(20)側開口(12a)の形状に対応させることを特徴とする樹脂網の製造方法。
【発明の詳細な説明】
【０００１】
【発明の属する技術分野】
本発明は、被護岸面の植生を図りながら土砂の流出を防止する護岸壁の技術に関し、特に、その護岸壁を構成する護岸用ブロックに取り付けて被護岸面を被覆する網に関するものである。
【０００２】
【従来の技術】
従来、被護岸面の植生を図りながら土砂の流出を防止する手段として、被護岸面から護岸壁表面に連通する植生用の空洞を備える護岸壁が知られている。
【０００３】
上記空洞を備える護岸壁を築くために、様々な形状の護岸用ブロックが考案されているが、そのような護岸用ブロックとして、例えば、正面から見た輪郭が中心に向かって凹んだ部分（凹部）を有するものが知られている。この凹部を有するブロックによれば、設置された状態においてこの凹部と真上に積層された他の護岸用ブロックの下面とにより被護岸面から護岸壁表面に連通する植生用の空洞が形成されるようになっている。そして、この凹部の被護岸面に接する方の開口には、土砂の流出を防止するための網が取り付けられ、その網の孔を通して植生が図られるようになっている。なお、凹部の開口に取り付けられる網は、被護岸面から護岸壁表面に連通する空洞が形成される場合は、護岸用ブロックの形状によらず採用されることが多い。
【０００４】
【発明が解決しようとする課題】
しかしながら、上記従来の網はシート状をなし、護岸用ブロックに対し接着剤で貼着しなければならず、取付作業性が悪かった。また、土圧に対して充分な剛性を有しておらず、時間の経過とともに変形し破断して土砂が流出する場合もあり、土砂流出を防止する充分な効果が得られない場合もあった。
【０００５】
そこで、本発明は、護岸用ブロックに容易に取り付けることができるとともに、土圧に対して充分な剛性を備えた護岸用ブロックの樹脂網及びその製造方法を提供することを目的とする。
【０００６】
【課題を解決するための手段】
本発明にかかる樹脂網は、被護岸面から護岸壁表面に連通する植生用の空洞を備える護岸壁を形成するための護岸用ブロックに取り付ける樹脂網であって、正面中央部に網部を備える板材からなり、該網部の輪郭は該空洞の該被護岸面側開口の輪郭と少なくとも一部分で適合し、該網部の該輪郭の該適合する部分に沿って該空洞の内壁に係合する弾性片部が正面方向に延出されていることを特徴とする。
【０００７】
この樹脂網によれば、弾性片部を空洞の内壁に係合させるだけで護岸用ブロックへワンタッチで取り付けることができるので、取付作業効率の向上を図ることができる。また、護岸用ブロックに取り付けられた状態で板材の網部周囲の板部が開口縁部に当接し、設置された状態で土圧により圧着されるので開口からの脱落を防止できる。更に、網部を樹脂で形成したので、土圧に対して充分な剛性を持たせ、土圧による変形や破断による土砂の流出を防止できる。
【０００８】
更にまた、網部の輪郭の少なくとも一部分を空洞の被護岸面側開口の輪郭に適合させ、弾性片部を網部の輪郭の適合する部分に沿って設けるようにしたので、開口の形状がわずかに異なる複数の種類の護岸用ブロックを使用するような場合（例えば、開口がブロックの上部まで到達していない笠ブロックが使用される場合）において何れの護岸用ブロックにも取付可能なものを、弾性片部の形成位置を変えるだけで製造できる。
【０００９】
更にまた、樹脂の板材で構成するとともに弾性片部を設けたことにより、隣接する護岸用ブロックどうしの側面で構成される空洞の開口部にも、樹脂網本体及び弾性片部の弾性力により取り付けることができる。しかも、樹脂網本体及び弾性片部が弾性変形して係合するので、道路のカーブに沿って構築された護岸壁のように隣接する護岸用ブロックの間隔が異なって設置される場合でも、ブロック間隔によらず取り付けることができる。
【００１０】
該弾性片部は、スリットで区切られた複数の小片部から構成されていてもよい。
この場合、樹脂網の背面に植生シート（シードマット）を取り付ける場合、スリットに通して樹脂網を周回させたゴム輪で植生シートを固定することができるので、従来のテープ等による固定方法と比較して、植生シートの固定作業性を向上させることができる。
【００１１】
該小片部の少なくとも３つは先端部に係合爪を有し、該係合爪を有する小片部は、正面から見て該網部の左側、右側及び下側に分散して配置されていてもよい。
この場合、空洞の開口に対する取付力を高めることができる。
【００１２】
該網部の正面から見て中央に、該護岸用ブロックに取り付けられて設置された際に上下に延びて該網部を左右に分割しかつ該網部を囲う板部に連続する、線条部が設けられ、該線条部は該空洞に面した正面側表面に該線条部の長さ方向に延びる溝が設けられていてもよい。
この場合、樹脂網全体を容易に反らすことができ、開口への取付作業性を更に向上させることができるとともに、強度が弱い網部における破断の発生を低減することができる。また、背面にカッターナイフなどで傷をつけることにより容易に半分に分割できるので、護岸壁の側端面において空洞の開口の形状が半分になる場所にも取り付けることができる。
【００１３】
該網部は、該護岸用ブロックに取り付けられて設置された際に水平になる方向に伸びる長孔が複数個平行に並設されてなるものであってもよい。
この場合、植生に必要な孔面積を確保しながら、樹脂網全体の取付時に起こる撓みに対する強度を高めることができる。
【００１４】
該長孔の、該護岸用ブロックに取り付けられて設置された際に下側に配置される角部が丸く面取りされていてもよい。
この場合、成長した植物の根が、土砂の沈下により切断されるのを防止することができる。
【００１５】
本発明にかかる樹脂網の製造方法は、被護岸面から護岸壁表面に連通する植生用の空洞を備える護岸壁を形成するための護岸用ブロックに取り付ける樹脂網の製造方法であって、正面中央部に網部を備える板材を形成する第１の型枠と、該網部輪郭に沿って正面方向に延出する弾性片部を形成する第２の型枠とを使用し、該第２の型枠を交換することにより、該弾性片部の配置を該空洞の該被護岸面側開口の形状に対応させることを特徴とする。
【００１６】
この製造方法によれば、開口の形状がわずかに異なる複数の種類の護岸用ブロックを使用するような場合（例えば、開口がブロックの上部まで到達していない笠ブロックが使用される場合）において何れの護岸用ブロックにも取付可能なものを、製造装置に大幅な変更を加えることなく第２の型枠を交換するだけで製造できる。
【００１７】
【発明実施の形態】
図１〜図８に、本発明にかかる樹脂網の具体例を示す。図１は同樹脂網の正面図、図２は同樹脂網の背面図、図３は同樹脂網の平面図、図４は同樹脂網底面図、図５は同樹脂網の側面図である。図６は図１におけるＡ−Ａ矢視線に沿った断面図である。図７は同樹脂網が護岸用ブロックに取り付けられた状態を背面側から見た斜視図である。図８は同樹脂網が使用される護岸壁の概観を、その一部を破断して示す斜視図である。
【００１８】
樹脂網１は、被護岸面２０から護岸壁表面１１に連通する植生用の空洞１２を備える護岸壁１０を形成するための護岸用ブロック１３、１３’に取り付ける樹脂網であって、正面中央部に網部２を備える板材３からなる。網部２の輪郭２ａは空洞１２、１２’の被護岸面２０側開口１２ａの輪郭１２ｃと少なくとも一部分で適合し、網部２の輪郭２ａの適合する部分に沿って空洞１２、１２’の内壁１２ｂに係合する弾性片部４が正面方向に延出されている。
【００１９】
なお、護岸壁１０の最上段を構成する護岸用ブロック１３’は、開口１２ａがブロックの上部まで到達しておらず、開口１２ａの形状が下段の護岸用ブロック１３とわずかに異なる笠ブロックである。また、護岸用ブロック１３、１３’の輪郭は、正面から見て上側の中央部及び両角部に下側に凹んだ凹部を有しており、空洞１２は中央部の凹部により形成されたものであり、空洞１２’は、護岸用ブロック１３又は１３’の両側において、隣接する護岸用ブロック１３又は１３’の両角部の凹部どうしが合わさって形成されたものである。
【００２０】
この樹脂網１によれば、弾性片部４を空洞１２、１２’の内壁１２ｂに係合させるだけで護岸用ブロック１３、１３’へワンタッチで取り付けることができ、取付作業効率の向上を図ることができる。また、護岸用ブロック１３、１３’に取り付けられた状態で板材３の網部２周囲の板部５が開口１２ａの縁に当接し、設置された状態で土圧により圧着されるので開口１２ａからの脱落を防止できる。更に、網部２を樹脂で形成したので、土圧に対して充分な剛性を持たせ、土圧による変形や破断による土砂の流出を防止できる。
【００２１】
更にまた、網部２の輪郭２ａの少なくとも一部分を空洞１２、１２’の被護岸面２０側開口１２ａの輪郭１２ｃに適合させ、弾性片部４を網部２の輪郭２ａの開口１２ａに適合する部分に沿って設けるようにしたので、開口１２ａの形状がわずかに異なる護岸用ブロック１３及び１３’の両方に取付け可能なものを、弾性片部４の形成位置を変えるだけで製造できる。なお、図１〜図６に示す樹脂網１は下段に配置される護岸用ブロック１３に取り付けるための形状となっているが、弾性片部４のうち上側の半分を取り除くだけで、護岸用ブロック１３’に取り付けることのできる形状にすることができる。
【００２２】
更にまた、樹脂の板材３で構成するとともに弾性片部４を設けたことにより、隣接する護岸用ブロック１３、１３又は１３’、１３’どうしの側部において形成される空洞１２’の開口１２ａにも、樹脂網１の本体及び弾性片部４の弾性力により取り付けることができる。しかも、樹脂網１の本体及び弾性片部４が弾性変形して係合するので、道路のカーブに沿って構築された護岸壁のように隣接する護岸用ブロック１３又は１３’の間隔が異なって設置される場合でも、ブロック間隔によらず取り付けることができる。
【００２３】
弾性片部４は、スリット４ａで区切られた複数の小片部４ｂから構成されている。
こうすると、樹脂網１の背面に図示しない植生シート（シードマット）を取り付ける場合、スリット４ａに通して樹脂網１を周回させた図示しないゴム輪で植生シートを固定することができるので、従来のテープ等による固定方法と比較して、植生シートの固定作業性を向上させることができる。
【００２４】
小片部４ｂのうち８個は先端部に係合爪４ｃを有し、これら係合爪４ｃを有する小片部４ｂは、正面から見て網部の左側、右側及び下側に分散して配置されている。
こうすると、空洞１２、１２’の開口１２ａに対する取付力を高めることができる。なお、係合爪４ｃを設ける小片部４ｂの個数に制限はないが、少なくとも３個の小片部に設けることが好ましい。
【００２５】
網部２の正面から見て中央に、護岸用ブロック１３，１３’に取り付けられて設置された際に上下に延びて網部２を左右に分割しかつ網部２を囲う板部５に連続する線条部６が設けられ、線条部６は空洞１２に面した正面側表面に線条部６の長さ方向に延びる溝７が設けられている。
こうすると、樹脂網１全体を容易に反らすことができ、開口１２ａへの取付作業性を更に向上させることができるとともに、強度が弱い網部２における破断の発生を低減することができる。また、背面にカッターナイフなどで傷をつけることにより容易に半分に分割できるので、護岸壁１０の側端面において空洞１２、１２’の開口１２ａの形状が半分になる場所にも取り付けることができる。
【００２６】
網部２の形状に制限はなく製造条件や設置条件に応じ最適な形状にすることができるが、図９に示すように、護岸用ブロック１３、１３’に取り付けられて設置された際に水平になる方向に伸びる長孔２ｂが複数個平行に並設されてなるものであることが好ましい。
そうすると、植生に必要な孔面積を確保しながら、樹脂網１全体の取付時に起こる撓みに対する強度を高めることができる。
【００２７】
更に、長孔２ｂの、護岸用ブロック１３、１３’に取り付けられて設置された際に下側に配置される角部２ｃが丸く面取りされていることが好ましい。
こうすると、成長した植物の根が、土砂の沈下により切断されるのを防止することができる。
【００２８】
次に本発明にかかる樹脂網の製造方法を、上記樹脂網１を製造する場合を例にあげて説明する。樹脂網１は、板材３を形成する第１の型枠と、弾性片部４を形成する第２の型枠とを使用して製造する。そして、下段側に配置される護岸用ブロック１３に取り付けるものを製造する場合は、第２の型枠であって弾性片部４を網部２の輪郭２ａ全周にわたって網部２を囲うように形成するものを使用する。また、最上段に配置される護岸用ブロック１３’に取り付けるものを製造する場合は、第２の型枠であって弾性片部４を網部２の輪郭２ａの下側半分にのみ形成するものを使用する。
【００２９】
この製造方法によれば、開口の形状がわずかに異なる護岸用ブロック１３及び１３’の両方に取付け可能なものを、製造装置に大幅な変更を加えることなく第２の型枠を交換するだけで製造できる。
【００３０】
【発明の効果】
本発明にかかる樹脂網によれば、弾性片部を空洞の内壁に係合させるだけで護岸用ブロックへワンタッチで取り付けることができるので、取付作業効率の向上を図ることができる。また、護岸用ブロックに取り付けられた状態で板材の網部周囲の板部が開口縁部に当接し、設置された状態で土圧により圧着されるので開口からの脱落を防止できる。更に、網部を樹脂で形成したので、土圧に対して充分な剛性を持たせ、土圧による変形や破断による土砂の流出を防止できる。
【００３１】
更にまた、網部の輪郭の少なくとも一部分を空洞の被護岸面側開口の輪郭に適合させ、弾性片部を網部の輪郭の適合する部分に沿って設けるようにしたので、開口の形状がわずかに異なる複数の種類の護岸用ブロックを使用するような場合（例えば、開口がブロックの上部まで到達していない笠ブロックが使用される場合）において何れの護岸用ブロックにも取付可能なものを、弾性片部の形成位置を変えるだけで製造できる。
【００３２】
更にまた、樹脂の板材で構成するとともに弾性片部を設けたことにより、隣接する護岸用ブロックどうしの側面で構成される空洞の開口にも、樹脂網本体及び弾性片部の弾性力により取り付けることができる。しかも、樹脂網本体及び弾性片部が弾性変形して係合するので、道路のカーブに沿って構築された護岸壁のように隣接する護岸用ブロックの間隔が異なって設置される場合でも、ブロック間隔によらず取り付けることができる。
【００３３】
請求項２によれば、樹脂網の背面に植生シート（シードマット）を取り付ける場合、スリットに通して樹脂網を周回させたゴム輪で植生シートを固定することができるので、従来のテープ等による固定方法と比較して、植生シートの固定作業性を向上させることができる。
【００３４】
請求項３によれば、空洞の開口に対する取付力を高めることができる。
【００３５】
請求項４によれば、樹脂網全体を容易に反らすことができ、開口への取付作業性を更に向上させることができるとともに、強度が弱い網部における破断の発生を低減することができる。また、背面にカッターナイフなどで傷をつけることにより容易に半分に分割できるので、護岸壁の側端面において空洞の開口の形状が半分になる場所にも取り付けることができる。
【００３６】
請求項５によれば、植生に必要な孔面積を確保しながら、樹脂網全体の取付時に起こる撓みに対する強度を高めることができる。
【００３７】
請求項６によれば、成長した植物の根が、土砂の沈下により切断されるのを防止することができる。
【００３８】
請求項７による樹脂網の製造方法によれば、開口の形状がわずかに異なる複数の種類の護岸用ブロックを使用するような場合（例えば、開口がブロックの上部まで到達していない笠ブロックが使用される場合）において何れの護岸用ブロックにも取付可能なものを、製造装置に大幅な変更を加えることなく第２の型枠を交換するだけで製造できる。
【図面の簡単な説明】
【図１】本発明にかかる樹脂網の正面図である。
【図２】同樹脂網の背面図である。
【図３】同樹脂網の平面図である。
【図４】同樹脂網の底面図である。
【図５】同樹脂網の側面図である。
【図６】図１におけるＡ−Ａ矢視線に沿った断面図である。
【図７】同樹脂網が護岸用ブロックに取り付けられた状態を背面側から見た斜視図である。
【図８】同樹脂網が使用される護岸壁の概観を、その一部を破断して示す斜視図である。
【図９】同樹脂網における網部の他の形状を拡大して示す図である。
【符号の説明】
１    樹脂網
２    網部
２ａ  輪郭
２ｂ  長孔
２ｃ  角部
３    板材
４    弾性片部
４ａ  スリット
４ｂ  小片部
４ｃ  係合爪
５    板部
６    線条部
７    溝
１０  護岸壁
１１  護岸壁表面
１２、１２’  空洞
１２ａ  開口
１２ｂ  内壁
１２ｃ  輪郭
１３、１３’  護岸用ブロック
２０  被護岸面
【図１】
0004849655.tif 000002
【図２】
0004849655.tif 000003
【図３】
0004849655.tif 000004
【図４】
0004849655.tif 000005
【図５】
0004849655.tif 000006
【図６】
0004849655.tif 000007
【図７】
0004849655.tif 000008
【図８】
0004849655.tif 000009
【図９】
0004849655.tif 000010